(57)【要約】      （修正有）【課題】簡単な構造で開封及び再栓が容易にできてコストの安い紙容器の開封再栓装置を提供する。【解決手段】開封再栓装置６は注出部７とキャップ部８とインサート部９で構成される。円筒形状の注出部７は一端部にフランジ部７ａを備え、このフランジ部７ａが紙容器本体の頂面２の開口予定部Ｓに芯合わせして固着される。キャップ部８は注出部７を覆って螺合し、キャップ部８の頂部１０が平面視十字形状１１で螺旋状に形状され、この平面視十字形状１１は頂部１０を抉って十字形状が突出するように形成される。さらに、この平面視十字形状１１の高さの側面１１ａの全周に亘って凹凸部１２が形成される。【選択図】図４
2013039941.tif 000002
【特許請求の範囲】
【請求項１】
紙基材を折り曲げて頂面と底面と複数の側面から成る紙容器本体に備える紙容器の開封再栓装置であって、
前記開封再栓装置は前記頂面に形成される内容液注出用の開口予定部を覆って前記頂面に固着される円筒状の本体部と、前記本体部の外周部に螺合するキャップ部とから成り、前記キャップ部の頂部が平面視十字形状に形成されることを特徴とする紙容器の開封再栓装置。
【請求項２】
請求項１に記載の紙容器の開封再栓装置であって、前記平面視十字形状は渦巻状に形状されることを特徴とする紙容器の開封再栓装置。
【請求項３】
請求項１又は請求項２に記載の紙容器の開封再栓装置であって、前記キャップ部の側面に線状の凹凸部が形成されることを特徴としている。
【発明の詳細な説明】
【技術分野】
【０００１】
本発明は液体食品を充填した紙容器に取付ける開封再栓装置に関し、詳しくは開封再栓装置のキャップ部を容易に回転して紙容器を開封し且つ再封できる開封再栓装置に関する。
【背景技術】
【０００２】
従来、牛乳、清涼飲料等の液体食品を充填する紙容器本体にキャップを備えて成る開封再栓装置付の紙容器に関する従来技術として種々の技術が知られている。
図９に示すように、外観直方体形状の六面体から成る紙容器２０の頂面２１に開封再栓装置２２が取付けられる。開封再栓装置２２はフランジ部２３に垂直に連結する注出部２４とキャップ部２５が螺合し、フランジ部２３は頂面２１の図示しない開口部を覆って固着される。ここで、キャップ部２５の側面には等間隔で線状の凹凸部２６が全周に亘って形成されている。このキャップ付紙容器であればスポーツや屋内外活動時等に手軽に持運びができて内容液を口に直接注いで飲用することができるので利便性に優れる。
【先行技術文献】
【特許文献】
【０００３】
【特許文献１】特開平５−３８７７２号公報
【発明の概要】
【発明が解決しようとする課題】
【０００４】
開封再栓装置２２は、キャップ部２５を回転して開封する際に、キャップ部２５の側面に形成された線状の凹凸部２６から指が滑ってキャップ部２５が円滑に回転しにくい不都合がある。
本発明は、かかる従来技術に鑑みなされたものであって、簡単な構造でキャップ部の開封及び再栓が確実且つ容易にできてコストの安い紙容器の開封再栓装置をを提供することを目的とする。
【課題を解決するための手段】
【０００５】
請求項１の発明は、紙基材を折り曲げて頂面と底面と複数の側面から成る紙容器本体に備える紙容器の開封再栓装置であって、開封再栓装置は頂面に形成される内容液注出用の開口予定部を覆って頂面に固着される円筒状の本体部と、本体部の外周部に螺合するキャップ部とから成り、キャップ部の頂部が平面視十字形状に形成されることを特徴としている。
【０００６】
請求項２の発明は、請求項１に記載の紙容器の開封再栓装置であって、平面視十字形状は渦巻状に形状されることを特徴としている。
【０００７】
請求項３の発明は、請求項１又は請求項２に記載の紙容器の開封再栓装置であって、キャップ部の側面に線状の凹凸部が形成されることを特徴としている。
【発明の効果】
【０００８】
この発明は、以下のように、機能し、動作して顕著な効果を奏する。
請求項１の発明によれば、紙基材を折り曲げて頂面と底面と複数の側面から成る紙容器本体に備える紙容器の開封再栓装置である。そして、開封再栓装置は頂面に形成される内容液注出用の開口予定部を覆って頂面に固着される円筒状の本体部と、本体部の外周部に螺合するキャップ部とから成る。ここで、キャップ部の頂部が平面視十字形状に形成されるので、この十字形状に指を引掛けて安定して保持することができるので、キャップ部を確実且つ容易に回転で開封して内溶液を注出すことができる。
【０００９】
請求項２の発明によれば、平面視十字形状は渦巻状に形状されるので蓋を取り外す際の回転操作時に指が負担なく容易に渦巻状に沿ってキャップ部を保持できるので操作性が向上し、請求項１と同様の効果がさらに確実に得られる。
【００１０】
請求項３の発明によれば、キャップ部の側面に形成される線状の凹凸部によって、蓋を取り外す際の回転操作時に指が滑らないので操作性が安定し、請求項１又は請求項２と同様の効果がさらに確実に得られる。
【図面の簡単な説明】
【００１１】
【図１】本発明の第一の実施形態における、頂面２と底面３と四側面４で外観が直方体形状の紙容器本体１ａの開口予定部Ｓを覆って開封再栓装置６を取付けた状態を示す紙容器１の斜視図である。
【図２】本発明の第一の実施形態における、紙容器本体１ａを形成する帯状包材５の展開平面図である。
【図３】本発明の第一の実施形態における、開口予定部Ｓの状態を示す断面図である。
【図４】本発明の第一の実施形態における、開封再栓装置６の内部の構成を示す断面図と、開封再栓装置６のキャップ部８の頂部１０に形成された平面視十字形状１１の側面１１ａ全周に亘って垂直方向に凹凸部１２が形成された状態を示す側面図と、の合成図である。
【図５】本発明の第一の実施形態における、開封再栓装置６のキャップ部８の頂部１０に形成された平面視十字形状１１の状態を示す斜視図である。
【図６】本発明の第一の実施形態における、頂部１０に形成された平面視十字形状１１の状態を示す平面図である。
【図７】本発明の第一の実施形態における、キャップ部８の平面視十字形状１１の側面１１ａに指１３を掛けてキャップ部８を回転して開封する状態を示す斜視図である。
【図８】本発明の第二の実施形態における、開封再栓装置６ａのキャップ部８に螺旋状に形成された高さＨの平面視十字形状１０と、十字形状を備えない高さＨ１の領域の、それぞれの側面に凹凸部１２が形成された状態を示す斜視図である。
【図９】従来例における、紙容器２０の頂面２１に取付けられた開封再栓装置２２のキャップ部２５の側面に線状の凹凸部２６が全周に亘って形成された状態を示す斜視図である。
【発明を実施するための形態】
【００１２】
＜本発明の第一の実施形態＞
以下に、本発明の第一の実施形態を図１〜図７に基づいて説明する。
＜紙容器の開封再栓装置の構成＞
【００１３】
図１、図２、図３に示すように、紙容器１は矩形の頂面２と底面３と四側面４（正面４ａ、裏面４ｂ、側面４ｃ、側面４ｄ）で外観を直方体の形状に包材５を折り曲げて紙容器本体１ａが形成され、頂面２にジュース等の内容液を注出するための円形の開口予定部Ｓを設け、この開口予定部Ｓを覆って開封再栓装置６を取付ける。
【００１４】
帯状の両端部Ｑで囲まれる包材５には紙容器本体１ａの成型を容易とするために複数の折り目が形成され、紙容器一個分に該当する領域Ｐにおいて、縦方向に４本の折り目５ａ、横方向に４本の折り目５ｂ、斜め方向に８本の折り目５ｃがそれぞれ形成される。そして、紙容器１の正面４ａ側の頂面２に開口予定部Ｓが形成される。
【００１５】
包材５の構成は、外側から内側にかけて順に、外側層５ａ、紙基材５ｂ、接着層５ｃ、バリヤー層５ｄ、二層の内側層５ｅから成り、紙基材５ｂの外側面にデザイン等５ｆが予め印刷される。外側層５ａ、内側層５ｅは低密度ポリエチレン樹脂、接着層５ｃはポリエチレン或いはエチレン共重合体等の樹脂、バリヤー層５ｄはアルミ箔等で形成される。開口予定部Ｓは開口容易とするために紙基材５ｂが円形状に切り抜かれる。
【００１６】
＜開封再栓装置付き紙容器の製造工程の説明＞
図示しない充填機において、帯状の包材５を下方に搬送しながら両端部Ｑを重ねて縦線シール７で筒状にして内容液を充填した後に、横線シール８をして紙容器一個分に該当する領域Ｐを切離して原型容器１ａを形成する。その後、縦方向の４本の折り目５ａと横方向の４本の折り目５ｂを折り曲げ、斜め方向の８本の折り目５ｃを折り曲げてフラップ部９を形成して矩形の頂面２と底面３と四側面４から成る外観直方体形状の紙容器本体１ａが連続形成される。なお、縦線シール７における内側端部は図示しないストリップテープで覆われるので内容液に触れることはない。
【００１７】
開封再栓装置６はマイクロフレーム等の溶融装置を介して頂面２の開口予定部Ｓに芯合わせして固着される。
【００１８】
図４、図５、図６に示すように、開封再栓装置６は注出部７とキャップ部８とインサート部９で構成される。円筒形状の注出部７は一端部にフランジ部７ａを備え、このフランジ部７ａが頂面２に固着される。ここで、注出部７とフランジ部７ａは頂面２の開口部Ｓと同じ内径で一体成型される。キャップ部８は胴長状で注出部７を覆って螺合する。
【００１９】
インサート部９は円筒形状のインサート本体９ａと、注出口Ｔを備えて外形が六角形状のインサート頭部９ｂとから成り、インサート頭部９ｂはキャップ部８の六角形溝に形成された内底部８ａに上下スライド自在で収納される。インサート部９の先端９ｄに略４５度の傾斜を備える。
【００２０】
そして、注出部７の外周面に第一雄螺子７ａが形成され、キャップ部８の内周面に形成される第一雌螺子８ｂと螺合する。さらに、注出部７の内周面に第二雄螺子７ｂが形成され、第二雄螺子７ｂがインサート本体９ａの外周面に形成される第二雌螺子９ｃと螺合する。
【００２１】
第一雄螺子７ａは右螺子で第二雄螺子７ｂは左螺子で、第二雄螺子７ｂは第一雄螺子７ａより大きなピッチで形成され、フランジ部６、注出部７、キャップ部８、インサート部９は各々樹脂成形される。
【００２２】
キャップ部８の頂部１０は平面視十字形状１１の螺旋状で、所謂手裏剣の形に形状される。より詳しくは、この平面視十字形状１１は頂部１０を抉って十字形状が高さＨで突出するように形成される。この平面視十字形状１１は高さＨの側面１１ａの全周に亘って垂直方向に凹凸部１２が形成される。
【００２３】
＜紙容器の開封再栓装置の作用＞
図７に示すように、紙容器１を開封するために開封再栓装置６のキャップ部８の平面視十字形状１１に指１３で挟んで左方向に回転すると、図４で示したように、第一雄螺子７ａは右螺子で第二雄螺子７ｂは左螺子で、第二雄螺子７ｂは第一雄螺子７ａより大きなピッチで形成されるので、キャップ部８が上昇すると同時にインサート９がキャップ部８の上昇スピードより早く下降する。その結果キャップ部８が注出部７から外れる前に、インサート部９が開口予定部Ｓを破断する。
【００２４】
なお、上記、インサート部９の先端９ｄは略４５度の傾斜を備えるので開口予定部Ｓを確実且つ容易に突刺し開封することができる。そして、キャップ部８が外れた後に注出部７のインサート部９から内容液を注出して飲用することが出来る。
【００２５】
このように、キャップ部８が平面視十字形状１１で螺旋状に形成されるので、この十字形状１１の側面１１ａに指を引っ掛けるので蓋１０を確実且つ容易に回転して開封できる。さらに、この高さＨの平面視十字形状１１の側面１１ａの全周に亘って凹凸部１２が形成されるので指が滑らないため更に確実に蓋８を回転して容易に開封できる。十字形状１１は意匠的にユニークなので紙容器としての製品価値が向上する。キャップ部８は樹脂成型で十字形状を容易に形成できるのでコストの安い紙容器を提供できる。
＜本発明の第二の実施形態＞
【００２６】
本発明の第二の実施形態を図８に基づいてキャップ部の外部構成を説明するが、注出部等の開封装置の機構は図５と同じなのでその説明は省く。
【００２７】
図８に示すように、開封再栓装置６ａのキャップ部８の高さは第一の実施形態に比べて低く形成される。キャップ部８は平面視十字形状１１で螺旋状の高さＨの領域と、その下方に連続する筒状で高さＨ１の領域を備え、高さＨと高さＨ１の周囲全域に至って凹凸部１２が形成される。
【００２８】
このため、凹凸部１２の形成領域が第一の実施例に比べて高さＨ１だけ広く形成されるので指を掛ける領域が広くなるので、実施例１と同じ効果を更に確実に得ることができる。
【００２９】
以上、本発明の実施例を図面に基づいて説明したが、具体的な構成はこの実施例に限られるものではなく本発明の要旨を逸脱しない範囲の設計変更等があっても本発明に含まれる。
【００３０】
たとえば、平面視十字形状は螺旋形でなく直線状に交わる十字形状でもよい、さらに、開度９０度毎で成る十字形状の代わりに三方に開度１２０度毎に突出する形状、開度１８０度で一直線状に連結する形状にも適用できる。キャップ部の側面に線状の凹凸部が形成されない構成でも構わない。
【００３１】
平面視十字形状は水平でなく、十字形状の先端部に向かって下方傾斜する形状にもできる。紙容器の形状は屋根型容器等々色んな形状の紙容器に対応して実施できる。なお、開封再栓装置６の内部構成は様々な形態に適用することができる。
【００３２】
なお、本発明は前記実施の形態に限定されるものではなく、本発明の趣旨に基づいて種々変形させることが可能であり、それらを本発明の範囲から排除するものではない。
【産業上の利用可能性】
【００３３】
この発明の製造法によって、牛乳、ジュース、ミネラルウォーターなどの飲料、流動食品などの包装容器を製造することができる。
【符号の説明】
【００３４】
２  頂面
６  開封再栓装置
７  注出部
７ａ  フランジ部
８  キャップ部
９  インサート部
１０  頂部
１１  平面視十字形状
１１ａ  側面
１２  凹凸部
【図１】
2013039941.tif 000003
【図２】
2013039941.tif 000004
【図３】
2013039941.tif 000005
【図４】
2013039941.tif 000006
【図５】
2013039941.tif 000007
【図６】
2013039941.tif 000008
【図７】
2013039941.tif 000009
【図８】
2013039941.tif 000010
【図９】
2013039941.tif 000011